(57)【要約】【課題】燃焼生成物からの改善された又はより均一な熱放出を達成することができる、ヒータ用のバーナを提供する。【解決手段】ヒータ、特に車両用ヒータのためのバーナであって、燃焼室１８と、該燃焼室１８から燃焼生成物を導く火炎管２２とが設けられており、該火炎管２２が、燃焼室１８の近傍に火炎管２２への燃焼生成物の流入箇所である入口領域２８を備え、かつ火炎管２２からの燃焼生成物の流出箇所である出口領域３６を備えている形式のものにおいて、入口領域２８と出口領域３６との間に、燃焼排ガスの一部を火炎管２２から流出させることができる少なくとも１つの中間出口領域４２が設けられている。【選択図】図１
2004309126.tif 000002
【特許請求の範囲】
【請求項１】
ヒータ、特に車両用ヒータのためのバーナであって、燃焼室（１８）と、該燃焼室（１８）から燃焼生成物を導く火炎管（２２）とが設けられており、該火炎管（２２）が、燃焼室（１８）の近傍に火炎管（２２）への燃焼生成物の流入箇所である入口領域（２８）を備え、かつ火炎管（２２）からの燃焼生成物の流出箇所である出口領域（３６）を備えている形式のものにおいて、入口領域（２８）と出口領域（３６）との間に、燃焼排ガスの一部を火炎管（２２）から流出させることができる少なくとも１つの中間出口領域（４２）が設けられていることを特徴とする、ヒータ用のバーナ。
【請求項２】
火炎管（２２）が少なくとも１つの中間出口領域（４２）に少なくとも１つの中間出口開口（４４）を有している、請求項１記載のバーナ。
【請求項３】
火炎管（２２）が少なくとも２つの火炎管区分（２４，２６）を有しており、火炎管（２２）における燃焼生成物の流れ方向（Ｒ）で見て上流側の火炎管区分（２４）と下流側の火炎管区分（２６）との間の移行領域（３８）に、少なくとも１つの中間出口開口（４４）が設けられている、請求項１又は２記載のバーナ。
【請求項４】
移行領域（３８）において、火炎管区分（２４，２６）の間における開口（４０）が中間出口開口（４４）の少なくとも一部を形成している、請求項３記載のバーナ。
【請求項５】
上流側の火炎管区分（２４）が、下流側の火炎管区分（２６）に比べて大きな横断面寸法を有している、請求項３又は４記載のバーナ。
【請求項６】
下流側の火炎管区分（２６）が上流側の火炎管区分（２４）内に係合していて、中間出口開口（４４）の少なくとも一部が、上流側の火炎管区分（２４）と下流側の火炎管区分（２６）とのオーバラップ領域に設けられている、請求項５記載のバーナ。
【請求項７】
下流側の火炎管区分（２６）が少なくとも１つの保持領域（４６）によって、上流側の火炎管区分（２４）に保持されている、請求項３から６までのいずれか１項記載のバーナ。
【請求項８】
上流側の火炎管区分（２４）と下流側の火炎管区分（２６）とがほぼ円筒形に形成されている、請求項２から７までのいずれか１項記載のバーナ。
【請求項９】
少なくとも１つの中間出口開口（４４）が、火炎管（２２）の外壁に形成されている、請求項２から８までのいずれか１項記載のバーナ。
【請求項１０】
ヒータ、特に車両用ヒータであって、請求項１から９までのいずれか１項記載のバーナ（１２）と、火炎管（２２）が進入している熱交換器ハウジング（４８）を備えた熱交換器（１４）とが設けられていることを特徴とするヒータ。
【請求項１１】
熱交換器ハウジング（４８）の、火炎管（２２）に向けられた側に、少なくとも１つの火炎管区分（２６）を保持する保持構造体（６０）が設けられている、請求項１０記載のヒータ。
【請求項１２】
熱交換器ハウジング（４８）に、火炎管の長手方向に延びる複数のフィン（５６）が設けられており、保持構造体（６０）が該フィン（５６）の少なくとも一部を有している、請求項１１記載のヒータ。
【請求項１３】
少なくとも１つの火炎管区分（２６）が、該火炎管区分（２６）の全周にわたって分配配置された複数のフィン（５６）の間で、クランプ作用によって保持されている、請求項１２記載のヒータ。
【請求項１４】
少なくとも１つの火炎管区分（２６）が、フィン（５６）のうちの少なくとも１つに、リベット結合、ねじ結合又はこれに類した結合形式によって保持されている、請求項１２又は１３記載のヒータ。
【発明の詳細な説明】
【技術分野】
【０００１】
本発明は、ヒータ、特に車両用ヒータのためのバーナであって、燃焼室と、該燃焼室から燃焼生成物を導く火炎管とが設けられており、該火炎管が、燃焼室の近傍に火炎管への燃焼生成物の流入箇所である入口領域を備え、かつ火炎管からの燃焼生成物の流出箇所である出口領域を備えている形式のものに関する。本発明はまた、このような形式のバーナを有するヒータ、特に車両用ヒータにも関する。
【背景技術】
【０００２】
長く延在する熱交換器と共働するように形成された車両用ヒータでは、燃焼室から流出する燃焼排ガスを、長く延びていて一般的に円筒形に形成された火炎管を通して、まず初め燃焼室の方向で導くこと、つまりこの火炎管を取り囲んでいてほぼポット状に形成された熱交換器ハウジングの底部領域に向かって導くことが、公知である。この底部領域において、出口領域において火炎管から流出する燃焼生成物、つまり加熱すべき媒体に伝達すべき熱を運んでいる燃焼生成物は、変向され、その結果変向された燃焼生成物は、火炎管の外側と熱交換器ハウジングの内側との間に形成された中間室に沿って、戻り流れ、そしてこの際に熱を熱交換器ハウジングに、ひいてはその内部を循環する加熱すべき媒体に伝達し、その後で排ガス処理系又はこれに類したものに排出される。このような構成では特に、比較的長い熱交換器ハウジングもしくは相応に長い火炎管の使用に基づいて、一度熱交換器ハウジングの底部領域において変向され、次いで戻り流れる燃焼生成物は徐々に熱を失い、ひいては加熱すべき媒体への熱伝達が、燃焼生成物が戻り流れる間に衰えてしまう。
【発明の開示】
【発明が解決しようとする課題】
【０００３】
ゆえに本発明の課題は、燃焼生成物からの改善された又はより均一な熱放出を達成することができる、ヒータ用のバーナ並びにヒータ特に車両用ヒータを提供することである。
【課題を解決するための手段】
【０００４】
この課題を解決するために本発明の構成では、燃焼室と、該燃焼室から燃焼生成物を導く火炎管とが設けられており、該火炎管が、燃焼室の近傍に火炎管への燃焼生成物の流入箇所である入口領域を備え、かつ火炎管からの燃焼生成物の流出箇所である出口領域を備えている形式の、ヒータ特に車両用ヒータのためのバーナにおいて、入口領域と出口領域との間に、燃焼排ガスの一部を火炎管から流出させることができる少なくとも１つの中間出口領域が設けられているようにした。
【発明の効果】
【０００５】
少なくとも１つの中間出口領域を準備することによって、極めて高温で燃焼室から流出する燃焼排ガスを、熱交換器内において循環する流体を加熱するために、火炎管の全長にわたって分布させることが可能になり、その結果中間領域においても、つまり燃焼室の近傍に位置する火炎管領域においても、高温の燃焼生成物を、加熱すべき媒体への熱伝達のために準備することができる。そしてこれによって、熱伝達のために使用できる熱交換器ハウジングの表面全体を、より効果的に利用することができ、しかも、加熱すべき媒体へより均一な温度伝達によって、熱交換器から流出する媒体においても規定された温度状態を得ることができる。
【０００６】
例えば、火炎管が少なくとも１つの中間出口領域に少なくとも１つの中間出口開口を有するような構成が可能である。
【０００７】
少なくとも１つの中間出口領域を準備するために、本発明の別の構成では、火炎管が少なくとも２つの火炎管区分を有しており、火炎管における燃焼生成物の流れ方向で見て上流側の火炎管区分と下流側の火炎管区分との間の移行領域に、少なくとも１つの中間出口開口が設けられている。このような構成において、移行領域において、火炎管区分の間における開口が中間出口開口の少なくとも一部を形成していると、当該領域における火炎管からの燃焼生成物の流出を極めて簡単に達成することができる。
【０００８】
本発明の特に有利な構成では、上流側の火炎管区分が、下流側の火炎管区分に比べて大きな横断面寸法を有しており、この場合さらに有利には、下流側の火炎管区分が上流側の火炎管区分内に係合していて、中間出口開口の少なくとも一部が、上流側の火炎管区分と下流側の火炎管区分とのオーバラップ領域に設けられている。このような構成には特に次のような利点がある。すなわちこのように構成されていると、いずれにせよ上流側の火炎管区分の長手方向において流れる燃焼生成物が、両火炎管区分の間に形成されたリング状のオーバラップ領域に、前もっての変向なしに流入することができ、その結果流れがよどむおそれも生じることがない。さらに、異なった横断面寸法を備えて形成された火炎管区分をもって火炎管を形成することによって、入口領域の近傍に位置する火炎管区分において、該火炎管区分は、出口領域の近傍に位置する領域に比べて大きな外寸を有することになる。その結果、火炎管の外周面と、火炎管を取り囲む熱交換器ハウジングの内側表面との間に形成された流れ室においてもまた、相応な横断面変化が存在することになり、つまりこの流れ室の、出口領域の近傍に位置する領域においては、火炎管の入口領域の近傍に位置する流れ室領域に比べて、大きな流過横断面が存在することになる。これによって、この流れ室を通って流れる燃焼生成物は、温度が下がり、ひいては容積が減少という事実を考慮することができ、その結果既に低温のひいては小さな容積を必要とする燃焼生成物においても、効果的な熱伝達を達成することができる。また、異なった火炎管区分を規定された箇所に位置決めして互いに保持し合うことができるようにするために、本発明の別の構成では、下流側の火炎管区分が少なくとも１つの保持領域によって、上流側の火炎管区分に保持されている。
【０００９】
製造技術的に特に簡単に実現することができる構成では、上流側の火炎管区分と下流側の火炎管区分とがほぼ円筒形に形成されている。このように構成されていると、金属薄板製の管を短くすることによって、両方の火炎管区分を簡単に形成することが可能になる。
【００１０】
本発明の別の構成では、少なくとも１つの中間出口開口が、火炎管の外壁に形成されている。
【００１１】
前記課題を解決する別の構成では、ヒータ、特に車両用ヒータにおいて、本発明によるバーナと、火炎管が進入している熱交換器ハウジングを備えた熱交換器とが設けられている。
【００１２】
このように構成されたヒータにおいて、火炎管が複数の火炎管区分から形成されている場合に、これらの火炎管区分の規定された保持を簡単に可能にするために、本発明の別の構成では、熱交換器ハウジングの、火炎管に向けられた側に、少なくとも１つの火炎管区分を保持する保持構造体が設けられている。このような構成においてはさらに別の構成では、熱交換器ハウジングに、火炎管の長手方向に延びる複数のフィンが設けられており、保持構造体が該フィンの少なくとも一部を有している。一般的にこのようなフィンは、いずれにせよ熱交換器ハウジングにおいて、熱伝達表面を増大させるため及び同時に燃焼生成物のための流れ方向を規定するために、設けられている。
【００１３】
特に簡単に実現することができる構成では、少なくとも１つの火炎管区分が、該火炎管区分の全周にわたって分配配置された複数のフィンの間で、クランプ作用によって保持されている。択一的に又は付加的に、少なくとも１つの火炎管区分が、フィンのうちの少なくとも１つに、リベット結合、ねじ結合又はこれに類した結合形式によって保持されている。
【発明を実施するための最良の形態】
【００１４】
次に図面を参照しながら本発明の実施の形態を説明する。
【００１５】
図１には本発明の原理による車両用ヒータ１０の一部が、長手方向中心軸線Ｌに断面した縦断面図で示されている。この車両用ヒータ１０はバーナ１２と熱交換器１４とを有しており、図面にはこれらの装置１２，１４のうちの、本発明の原理にとって重要な構成部分だけが示されている。
【００１６】
バーナ１２は、ほぼポット状に形成された燃焼室ハウジング１６を有しており、この燃焼室ハウジング１６内には燃焼室１８が形成されている。燃焼室ハウジング１６の中央に設けられた燃焼空気入口管片２０を介して、燃焼空気は燃焼空気ファン（図示せず）の搬送作用下で、燃焼室１８に導入される。また燃料供給部（図示せず）を介して燃料も、例えば気化作用によって導入され、その結果燃焼室１８内には点火可能なもしくは燃焼可能な燃料空気混合物が生ぜしめられる。例えばグロー点火エレメントによって点火もしくは燃焼させられるこの混合物は、火炎と燃焼排ガスとを生ぜしめ、これらは、図１の左側において燃焼室１８から出て、全体を２２で示された火炎管に進入する。
【００１７】
図１に示された火炎管２２は、ほぼ円筒形に形成された火炎管区分２４，２６を有している。図面から分かるように、両火炎管区分２４，２６は互いに異なった寸法を有している。燃焼生成物（Verbrennungserzeugnisse）の流れ方向Ｒで見て上流に配置されていて大きな横断面寸法を有している火炎管区分２４は、燃焼室ハウジング１６に隣接して配置されていて、火炎管２２の入口領域２８を形成しており、この入口領域２８において燃焼生成物は火炎管２２に進入する。この入口領域２８に又は該入口領域２８の近傍において、火炎管２２にはさらに、燃焼生成物用の貫流開口３４を中央に備えた火炎オリフィス３０が保持されている。
【００１８】
上流側の火炎管区分２４よりも小さな横断面寸法を有する火炎管区分２６は、燃焼室１８から離れている方の端部領域において、火炎管２２の出口領域３６を形成しており、火炎管２２内をこの出口領域３６まで流された燃焼生成物は、該出口領域３６において火炎管２２から流出する（矢印Ｐ１参照）。
【００１９】
両火炎管区分２４，２６の間に設けられた移行領域３８において、両火炎管区分２４，２６は互いにオーバラップしているので、両区分の間にはリング状の開口領域４０が形成されている。この開口領域４０は中間出口領域４２を規定もしくは形成しており、この中間出口領域４２において、矢印Ｐ２で示されているように、上流側の火炎管区分２４に沿ってつまり該火炎管区分２４の壁近傍を流れた燃焼生成物は、火炎管２２から流出することができる。開口領域４０が中間出口開口４４を形成しているこの中間出口領域４２において、両火炎管区分２４，２６は互い保持されている。そのために例えば、下流側の火炎管区分２６には複数の外周ポジションに、外方に向かって突出する保持区分４６が設けられており、これらの保持区分４６は例えばろう接、接着又はその他の形式で固定されており、火炎管区分２６と同様に火炎管区分２４内に係合しており、これによって両火炎管区分２４，２６を互いに対して保持している。この場合火炎管区分２４においても、ろう接又はこれに類した接合方法によって固定を行うことができる。
【００２０】
図１には、熱交換器１４のうち、内側の熱交換器ハウジング４８だけしか示されていない。この熱交換器ハウジング４８は、底壁５０と周壁５２とを備えたほぼポット状の構成を有している。底壁５０及び周壁５２の外側には、いわゆる外側フィン５４が設けられており、これらの外側フィン５４は、熱交換器１４内を循環する加熱される媒体を導き、該媒体に熱を伝達する。熱交換器ハウジング４８の内側、つまり火炎管２２に向けられた側には、いわゆる内側フィン５６が設けられており、これらの内側フィン５６は底部領域５０を起点として火炎管２２の長手方向において、熱交換器ハウジング４８もしくはその周壁５２のほぼ全長にわたって延在している。内側フィン５６は次のことのために、すなわち、火炎管２２を去る燃焼生成物から熱交換器ハウジング４８に熱を伝達する熱伝達面を、増大させるために働き、かつ出口５９に向かって戻る燃焼生成物に規定された特定の流れ方向を与えるためにも役立つ。
【００２１】
つまり加熱運転において、燃焼室１８から流出する燃焼生成物は入口領域２８において、火炎オリフィス３０の中央開口３４を通って、まず初めに火炎管２２の上流側の火炎管区分２４に進入し、そして矢印Ｒの方向で移行領域３８に向かって流れる。燃焼生成物の一部は中間出口領域４２において火炎管２２から流出する。残りの部分は下流側の火炎管区分２６に流入し、出口領域３６において火炎管２２から流出し、そこで底部領域５０によって変向され、これによって火炎管２２の外側を、該火炎管２２の外側と熱交換器ハウジング４８の周壁５２との間に形成された中間室５８に沿って、戻り流れることができる。燃焼生成物流を２つの部分流に分割することによって、単に出口領域３６でのみ、極めて高温の燃焼生成物が熱交換器ハウジング４８と接触し、次いで戻り流れる際に徐々に冷却するのではなく、中間領域においても、つまり中間出口領域４２が位置している領域においても、まだ熱交換器ハウジング４８を加熱するのに貢献していない極めて高温の燃焼生成物が、中間室５８に流入し、次いで、出口領域３６において流出した燃焼生成物と合流して戻り流れることができる。これによって、熱交換器ハウジング４８を加熱する燃焼生成物の温度は、火炎管区分２４と熱交換器ハウジング４８の周壁５２との間に位置している中間室５８の領域において、高められる。このことに基づいて、熱交換器ハウジング４８への均一な熱伝達が可能になり、ひいてはそこで循環する加熱される媒体を得ることができる。さらに、両火炎管区分２４，２６が流れ方向Ｒにおいて減少する横断面寸法を備えて構成されていることによって、中間室５８もまた異なった横断面寸法を有している。中間室５８は、火炎管区分２６を取り囲む領域において、火炎管区分２４を取り囲む領域におけるよりも大きな横断面寸法を有している。その結果、既に出口５９の近傍を流れる著しく低温になった燃焼生成物、つまり（所定の圧力状態において）小さな容積しか要しない燃焼生成物のためには、相応に減じられた流過横断面が準備されており、そして、中間室５８の全長さ領域にわたって熱交換器ハウジング４８への均一な熱伝達が達成される。
【００２２】
図２には、本発明によるヒータ１０の択一的な別の実施例が示されている。したがって以下においては、図１に示された実施例に対して異なっている構成、つまりより小さな横断面寸法を備えた火炎管区分２６の保持領域における構成についてだけ記載する。
【００２３】
図２から分かるように、内側フィン５６は、底部領域５０から延びる領域６０において、熱交換器ハウジング４８の周壁５２を起点として（つまり半径方向において）、さらに下流側に位置している領域６２（中間室５８における燃焼生成物の流れ方向で見て下流側の領域）におけるよりも、大きな延在長さを有している。
【００２４】
内側フィン５６の領域６０は、火炎管区分２６の部分長さ領域にわたっても延在している。これらの内側フィン５６はこの領域６０において、その半径方向内側に向いている表面６４が火炎管区分２６のための支持面を形成するように、寸法設定されており、その結果火炎管区分２６は、周方向において全周にわたって分配配置された、内側フィン５６の領域６０の内側面６４の間においてクランプされている。このクランプ作用をさらに改善するために、火炎管区分２６は長手方向スリット６６を有していてもよい。フィン領域６０への火炎管区分２６の導入時に、火炎管区分２６は周方向において圧縮され、その結果火炎管区分２６は導入及びその拡開作用に基づく解放後に、フィン領域６０に安定的に保持されることになる。これによって、中間出口領域４２の開放横断面を損なう結合装置を準備する必要なしに、火炎管区分２６の安定的な保持を達成することができる。さらにまた、例えばアルミニウムから構成された熱交換器と例えば鋼から構成された火炎管との間における異なった熱膨張を、補償することが可能になる。特に、内側フィン５６の形状は少なくともフィン領域６０において、鋳造工程の実施時に与えられる離型傾斜が、極めて小さな角度を有するように、設定することができ、その結果、少なくとも、火炎管区分２６において出口領域３６が形成されている領域においては、互いにくさび状に先細になる内側面６４による火炎管区分２６に対する堅固なクランプ作用が得られる。
【００２５】
本発明によるヒータの別の実施形態は、図３及び図４に示されている。この実施例においても以下においては、火炎管区分２６の保持領域において存在する差異についてだけ記載する。
【００２６】
図３から分かるように、内側フィン５６は、火炎管区分２６に沿って延在するフィン領域６０において、火炎管区分２４を取り囲むフィン領域６２におけるよりも、さらに半径方向内側に向かって延びている。両フィン領域６０，６２の間における移行部は、この実施例においてもほぼ両火炎管区分２４，２６の間の移行領域に設けられている。火炎管区分２６は、火炎管区分２４に隣接した端部領域において複数の周囲ポジションに、半径方向外側に向かって曲げられた固定舌片６８を有している。両フィン領域６０，６２の間における階段状の移行部７０には、図示の実施例では長手方向中心軸線Ｌの方向に延びるリベットエレメント７２が設けられており、これらのリベットエレメント７２は、舌片６８に設けられた開口を貫通していて、変形によって舌片６８ひいては火炎管区分２６を内側フィン５６に堅固に保持している。付加的にフィン領域６０は、その内側面６４が火炎管区分２６にしっかりと接触していて、ガタツキによるノイズを引き起こす火炎管区分２６の運動が発生しないように、寸法設定されている。さらに付言すれば、もちろん内側フィン５６における舌片６８の固定は、必ずしもリベットエレメントを用いる必要はなく、ねじエレメント又はこれに類したものによって行うことができる。リベットエレメントを使用する場合、リベットエレメントはブラインドリベットとして構成されていることができるが、しかしながらまた、階段状の移行領域７０に一体成形されたリベットエレメントとして準備することも可能である。
【００２７】
もちろん本発明によるヒータもしくはそのためのバーナ１２は、種々様々な領域において変化態様が可能である。例えば、３つ以上の火炎管区分を用いることも可能であり、ひいては中間出口領域を２つ以上設けることも可能である。
【００２８】
図５及び図６に示された本発明のさらに別の実施形態では、火炎管２２は再び連続した１つの材料区分として形成されている。中間出口領域４２を準備するために、火炎管２２の壁にはＵ字形の切り込み７４が切り込まれているか又は打ち抜かれており、これによってＵ字形開口が、火炎管２２における燃焼生成物の流れ方向Ｒで見て下流側に配置されている。このようにして形成された舌片７６は、内方に向かって曲げられており、その結果舌片７６は、図６に示されているように、火炎管２２によって取り囲まれかつ燃焼生成物によって方向Ｒで貫流される空間領域に、入り込んでいる。舌片７６の屈曲によって開放された領域に、中間出口開口４４が形成されている。火炎管２２の壁領域に沿って方向Ｒで流れる燃焼生成物は、火炎管２２の内室に曲げられた舌片７６のガイド作用によって半径方向外側に向かって導かれ、そして、既に述べた実施例に関連した記載された中間室５８に流入する。図５及び図６に示された実施形態は、その構造が極めて簡単に実現できるのみならず、火炎管の任意の箇所にこのような舌片７６を形成することによって、中間出口開口４４のフォーメーション全体を形成することができ、つまり中間出口開口４４の長さ及び密度を、中間領域における燃焼生成物の流出を設定する特殊な要求に、適合させることができる。
【００２９】
火炎管２２の周囲に中間出口開口４４を非対称的に分配配置することもまた、図示の異なった実施形態において、燃焼生成物の流れにおける非対称性を補償することを目的として可能である。
【００３０】
もちろん、図５及び図６に示された変化実施例を、図１〜図４に示された実施例と組み合わせることも可能である。
【図面の簡単な説明】
【００３１】
【図１】本発明によるバーナの１実施例を熱交換器との関連において示す縦断面図である。
【図２】本発明によるバーナの別の実施例を、図１に相当する図で示す縦断面図である。
【図３】本発明によるバーナのさらに別の実施例を、図１に相当する図で示す縦断面図である。
【図４】図３に示されたバーナを図３の矢印ＩＶの方向から見て示す横断面図である。
【図５】火炎管の別の実施例を半径方向外側から見て示す図である。
【図６】図５に示された火炎管を図５のＶＩ−ＶＩ線に沿って断面して示す図である。
【符号の説明】
【００３２】
１０  車両用ヒータ、  １２  バーナ、  １４  熱交換器、  １６  燃焼室ハウジング、  １８  燃焼室、  ２０  燃焼空気入口管片、  ２２  火炎管、  ２４，２６  火炎管区分、  ２８  入口領域、  ３０  火炎オリフィス、  ３４  貫流開口、  ３６  出口領域、  ３８  移行領域、  ４０  開口領域、  ４２  中間出口領域、  ４４  中間出口開口、  ４６  保持区分、  ４８  熱交換器ハウジング、  ５０  底壁、  ５２  周壁、  ５４  外側フィン、  ５６  内側フィン、  ５８  中間室、  ５９  出口、  ６０，６２  フィン領域、  ６４  表面、  ６６  長手方向スリット、  ６８  固定舌片、  ７０  移行領域、  ７２  リベットエレメント、  ７４  切り込み、  ７６  舌片
【図１】
2004309126.tif 000003
【図２】
2004309126.tif 000004
【図３】
2004309126.tif 000005
【図４】
2004309126.tif 000006
【図５】
2004309126.tif 000007
【図６】
2004309126.tif 000008